(57)【要約】  蛍光灯１００に取って代わる光源１は、少なくとも1kHzの周波数を持つ交流信号をドライバ５とやり取りするための端子１１、１２と、コンデンサ１４を介して前記端子１１，１２に結合される入力部を持つ整流器１３と、前記整流器１３の出力部に結合される発光ダイオード１５とを具備する。前記整流器１３は、前記交流信号を整流し、前記コンデンサ１４は、前記光源１を取り付ける人に安全性を供給する。好ましくは、前記光源１は、異なる前記端子１１、１２が配置される異なる端部を持つ。各端子１１、１２は、ヒューズ３１、３２を介して相互接続される２つのピン２１、２２、２３、２４を有し得る。蛍光灯安定器５００に取って代わるドライバ５は、電圧源６に接続されるべき入力部５１、５２と、前記交流信号を前記光源１とやり取りするための出力部５３、５５とを具備する。前記ドライバ５は、前記交流信号を生成するためのスイッチング回路６１を有してもよく、前記スイッチング回路６１の出力部は、インダクタ６２、コンデンサ６６及び変圧器６３を備えるリアクタンス回路６２、６３、６６を介してドライバ５の出力部５３、５５に結合される。
2015534223.tif 000002
【特許請求の範囲】
【請求項１】
少なくとも1kHzの周波数を持つ交流信号をドライバとやり取りするための第１及び第２端子と、
コンデンサを介して前記第１端子に結合される第１入力部、及び前記第２端子に結合される第２入力部を備える整流器と、
前記整流器の出力部に結合される少なくとも１つの発光ダイオードとを有する光源。
【請求項２】
前記光源が、前記第１端子が配置される第１端部と、前記第２端子が配置される第２端部とを持つ請求項１に記載の光源。
【請求項３】
前記第１端子が、前記第１端部において、第１ヒューズを介して相互接続される２つの第１ピンを有し、前記コンデンサが、前記第１ピンのうちの一方に接続され、前記第２端子が、第２ヒューズを介して相互接続される２つの第２ピンを有し、前記整流器の前記第２入力部が、前記第２ピンのうちの一方に接続される請求項２に記載の光源。
【請求項４】
前記第１端子から、前記コンデンサを介し、前記整流器を介して、前記第２端子に至る電流路が、第３ヒューズを有する請求項２に記載の光源。
【請求項５】
前記光源が、蛍光灯に取って代わるよう設計される請求項１に記載の光源。
【請求項６】
請求項１に記載の光源を駆動するためのドライバであって、
電圧源に接続されるべき第１及び第２入力部と、
少なくとも1kHzの周波数を持つ交流信号を前記光源とやり取りするための第１及び第２出力部とを有するドライバ。
【請求項７】
前記交流信号を生成するためのスイッチング回路を更に有し、前記スイッチング回路の第１及び第２出力部のうちの少なくとも一方が、リアクタンス回路を介して前記ドライバの前記第１及び第２出力部のうちの少なくとも一方に結合される請求項６に記載のドライバ。
【請求項８】
前記リアクタンス回路が、前記スイッチング回路の前記第１出力部、及び前記ドライバの前記第１出力部に結合されるインダクタを有する請求項７に記載のドライバ。
【請求項９】
前記スイッチング回路の前記第１出力部から、前記インダクタを介して、前記ドライバの前記第１出力部に至る電流路が、コンデンサを有する請求項８に記載のドライバ。
【請求項１０】
前記リアクタンス回路が、変圧器を更に有し、前記変圧器の１次側が、前記インダクタ、及び前記スイッチング回路の前記第２出力部に結合され、前記変圧器の２次側が、前記ドライバの前記第１及び第２出力部に結合される請求項８に記載のドライバ。
【請求項１１】
前記ドライバの前記第１出力部から、前記ドライバの前記第２出力部に至る電流路が、コンデンサを有する請求項１０に記載のドライバ。
【請求項１２】
前記ドライバが、蛍光灯安定器に取って代わるよう設計される請求項６に記載のドライバ。
【請求項１３】
他の、請求項１に記載の光源を更に駆動するために、少なくとも1kHzの周波数を持つ他の交流信号を前記他の光源とやり取りするための第３及び第４出力部を更に有する請求項６に記載のドライバ。
【請求項１４】
請求項１に記載の光源を有し、且つ請求項６に記載のドライバを有するシステム。
【請求項１５】
少なくとも１つの発光ダイオードを有する光源を駆動するための方法であって、
少なくとも1kHzの周波数を持つ交流信号を、前記光源とドライバとの間でやり取りするステップと、
前記交流信号に、前記光源内のコンデンサを通過させるステップと、
前記光源内で前記交流信号を整流するステップとを有する方法。
【発明の詳細な説明】
【技術分野】
【０００１】
本発明は、少なくとも1つの発光ダイオードを有する光源、及び前記光源を駆動するためのドライバに関する。本発明は、更に、前記光源を有し、且つ前記ドライバを有するシステムに関し、その上更に、光源を駆動するための方法に関する。このような光源の例は、レトロフィット発光ダイオード管である。
【背景技術】
【０００２】
US 2004 / 0062041 A1は、電気の伝達のための第１端部を持ち、且つ第２ダミー端部を持つレトロフィット発光ダイオード管を開示している。
【０００３】
US 2004 / 0062041 A1は、如何なるドライバも開示していない。通常、ドライバは、少なくとも１つの発光ダイオードを有する光源に直流信号を供給する。
【０００４】
蛍光灯を発光ダイオードに置き換え、同時に、蛍光灯安定器をドライバに置き換える際に、US 2004 / 0062041 A1に示されているような発光ダイオード管を取り付けている人に安全を供給するため、前記発光ダイオード管には、電気の伝達のための第１端部と、第２ダミー端部とが与えられている。この場合、この人は、最早、器具を介して一方の端部に電圧が印加されている間に手で他方の端部に触れても危険にさらされない。しかしながら、これは、適応されるべき器具内に配線を必要とし、これは、取り付け時間を増大させると共に、交換のためのコストを増大させる。
【０００５】
更に、前記発光ダイオード管に直流信号が供給される場合、極性の問題が生じ得る。前記極性の問題は、取り付け時間を増大させると共に、交換のためのコストを増大させる、極性の表示の付加によって解決され得る、又は電気的な非効率性をもたらすと共に、製造のためのコストを増大させる、極性の問題を防止するためのダイオード整流器などの回路の付加によって解決され得る。
【発明の概要】
【発明が解決しようとする課題】
【０００６】
本発明の目的は、改善された光源を提供すること、及び改善されたドライバを提供することである。他の目的は、改善されたシステム及び改善された方法を提供することである。
【課題を解決するための手段】
【０００７】
第１の態様によれば、  
―  少なくとも1kHzの周波数を持つ交流信号をドライバとやり取りするための第１及び第２端子と、 
―  コンデンサを介して前記第１端子に結合される第１入力部、及び前記第２端子に結合される第２入力部を備える整流器と、 
―  前記整流器の出力部に結合される少なくとも１つの発光ダイオードとを有する光源が提供される。
【０００８】
前記光源は、蛍光灯に取って代わるよう設計される。前記光源及び前記ドライバは、少なくとも1kHz、好ましくは、少なくとも10kHzの周波数を持つ交流信号をやり取りする。結果として、前記ドライバと、前記光源との間では、極性の問題は、最早、生じないだろう。前記少なくとも1つの発光ダイオードは、直流信号で駆動される必要があるという事実のため、前記光源には、前記交流信号を整流するための整流器が付加されている。最後に、前記光源の前記端子のうちの一方と、前記整流器の前記入力部のうちの一方との間に前記コンデンサを付加していることにより、最早、前記光源を取り付けている人が、前記交流信号によってひどく負傷させられることはない。これは、前記コンデンサは、前記コンデンサに直列に結合されているときに前記人に流れる電流信号の値を制限するという事実のためである。
【０００９】
結果として、改善された光源であって、最早、極性の問題に悩まされず、前記改善された光源を取り付けている人に安全性を供給する改善された光源が作成されている。
【００１０】
前記少なくとも１つの発光ダイオードは、あらゆる種類の、あらゆる組み合わせの１つ以上の発光ダイオードを含む。前記整流器は、ダイオードを有し、好ましくは、ダイオードブリッジの４つのダイオードを有する。
【００１１】
前記光源の実施例は、前記光源が、前記第１端子が配置される第１端部と、前記第２端子が配置される第２端部とを持つと規定される。例えば管のようなこの光源は、器具内の配線が適応させられる必要がないように、電気の伝達のための端部を２つ持ち、ダミー端部を全く持たない。
【００１２】
前記光源の実施例は、前記第１端子が、前記第１端部において、第１ヒューズを介して相互接続される２つの第１ピンを有し、前記コンデンサが、前記第１ピンのうちの一方に接続され、前記第２端子が、第２ヒューズを介して相互接続される２つの第２ピンを有し、前記整流器の前記第２入力部が、前記第２ピンのうちの一方に接続されると規定される。前記第１及び第２ヒューズは、或る端部の２つのピンが、電源の異なる端子に接続される場合に、保護を供給する。
【００１３】
前記光源の実施例は、前記第１端子から、前記コンデンサを介し、前記整流器を介して、前記第２端子に至る電流路が、第３ヒューズを有すると規定される。前記第３ヒューズは、前記端子のうちの一方の端子から前記端子のうちの他方の端子へ流れる電流信号が高すぎる値になることに対する保護を供給する。
【００１４】
前記光源の実施例は、前記光源が、蛍光灯に取って代わるよう設計されると規定される。
【００１５】
第２の態様によれば、
―  電圧源に接続されるべき第１及び第２入力部と、
―  少なくとも1kHzの周波数を持つ交流信号を前記光源とやり取りするための第１及び第２出力部とを有するドライバが提供される。
前記光源を駆動する前記ドライバは、前記蛍光灯を駆動する蛍光灯安定器に取って代わるよう設計される。前記電圧源は、例えば、50Hz又は60Hzの周波数を持つ交流電圧信号を前記ドライバとやり取りする主電源である。前記ドライバは、少なくとも1kHz、好ましくは、少なくとも10kHzの周波数を持つ交流信号を前記光源とやり取りする。
【００１６】
前記ドライバの実施例は、前記交流信号を生成するためのスイッチング回路を更に有し、前記スイッチング回路の第１及び第２出力部のうちの少なくとも一方が、リアクタンス回路を介して前記ドライバの前記第１及び第２出力部のうちの少なくとも一方に結合されると規定される。前記スイッチング回路は、例えば、ハーフブリッジを有し、又は例えば、フルブリッジを有する。前記リアクタンス回路は、前記スイッチング回路の動作周波数において、前記スイッチング回路が、改善されたドライバ効率のためにソフトスイッチングモードで動作されるような誘導性インピーダンスを持ち得る。前記ドライバは、前記ドライバの前記入力部と、前記スイッチング回路の入力部との間に配置される、電磁干渉フィルタ及び／又は整流器及び／又は力率改善回路を更に有し得る。
【００１７】
前記ドライバの実施例は、前記リアクタンス回路が、前記スイッチング回路の前記第１出力部、及び前記ドライバの前記第１出力部に結合されるインダクタを有すると規定される。前記リアクタンス回路は、前記スイッチング回路の前記第２出力部、及び前記ドライバの前記第１出力部に結合されるコンデンサを更に有する。前記インダクタ及び前記コンデンサを含む前記リアクタンス回路は、共振タンクを形成し得る。
【００１８】
前記ドライバの実施例は、前記スイッチング回路の前記第１出力部から、前記インダクタを介して、前記ドライバの前記第１出力部に至る電流路が、コンデンサを有すると規定される。最早、前記ドライバを取り付けている人が、前記交流信号によってひどく負傷させられることはない。これは、前記コンデンサは、前記コンデンサに直列に結合されているときに前記人に流れる電流信号の値を制限するという事実のためである。前記ドライバ及び前記スイッチング回路の前記第2出力部がアースに結合されない場合には、前記コンデンサは、代わりに、これらの第２出力部の間に配置され得る。
【００１９】
前記ドライバの実施例は、前記リアクタンス回路が、変圧器を更に有し、前記変圧器の１次側が、前記インダクタ、及び前記スイッチング回路の前記第２出力部に結合され、前記変圧器の２次側が、前記ドライバの前記第１及び第２出力部に結合されると規定される。前記変圧器は、ガルバニック絶縁を供給する。前記２次側の或る端部は、アースに結合され得る。
【００２０】
前記ドライバの実施例は、前記ドライバの前記第１出力部から、前記ドライバの前記第２出力部に至る電流路が、コンデンサを有すると規定される。
【００２１】
前記ドライバの実施例は、前記ドライバが、蛍光灯安定器に取って代わるよう設計されると規定される。
【００２２】
他の光源を更に駆動するための前記ドライバの実施例は、少なくとも1kHzの周波数を持つ他の交流信号を前記他の光源とやり取りするための第３及び第４出力部を更に有すると規定される。１つの同じドライバが、２つ以上の光源を駆動するために用いられ得る。
【００２３】
第３の態様によれば、前記光源を有し、且つ前記ドライバを有するシステムが提供される。
【００２４】
第４の態様によれば、少なくとも１つの発光ダイオードを有する光源を駆動するための方法であって、
―  少なくとも1kHzの周波数を持つ交流信号を、前記光源とドライバとの間でやり取りするステップと、
―  前記交流信号に、前記光源内のコンデンサを通過させるステップと、
―  前記光源内で前記交流信号を整流するステップとを有する方法が提供される。
【００２５】
洞察は、直流信号は極性に対する注意を必要とし、交流信号は極性に対する注意を必要としないというものである。基本的な考えは、１つ以上の発光ダイオードを有する光源は、少なくとも1kHzの周波数を持つ交流信号をドライバとやり取りすべきであり、前記光源は、内蔵整流器及び内蔵コンデンサを有するべきであるというものである。
【００２６】
改善された光源及び改善されたドライバを提供する問題は、解決された。他の利点は、安全性の問題は、最早、生じないこと、及び前記器具内の配線は、適応させられる必要がないことである。最後に、前記改善されたドライバは、更に、蛍光灯を駆動するために用いられることができる（後方互換性）。
【００２７】
下記の実施例を参照して、本発明のこれら及び他の態様を説明し、明らかにする。
【図面の簡単な説明】
【００２８】
【図１】従来技術の交換を示す。
【図２】従来技術のドライバ及び従来技術の光源を示す。
【図３】改善されたドライバ及び改善された光源を示す。
【図４】光源の実施例をより詳細に示す。
【図５】改善された交換を示す。
【図６】改善されたドライバの第１実施例を示す。
【図７】改善されたドライバの第２実施例を示す。
【発明を実施するための形態】
【００２９】
図１には、従来技術の交換が示されている。矢印の上では、電圧源６が、蛍光灯安定器５００に結合されている。蛍光灯安定器は、第１青色ワイヤＢ１を介して第１蛍光灯１００の第１端子に結合されており、第２青色ワイヤＢ２を介して第２蛍光灯２００の第１端子に結合されており、１本の赤色ワイヤＲを介して第１蛍光灯１００及び第２蛍光灯２００の第２端子に結合されている。矢印の下では、蛍光灯安定器５００に取って代わるドライバ５が、電圧源６に結合されており、第１蛍光灯１００に取って代わる、少なくとも１つの発光ダイオードを有する第１光源１の第１端子の第１及び第２ピンに２本のワイヤを介して結合されており、第２蛍光灯２００に取って代わる、少なくとも１つの発光ダイオードを有する第２光源２の第１端子の第１及び第２ピンに他の２本のワイヤを介して結合されている。
【００３０】
第１光源１及び第２光源２の第２端子は、ダミー端子である。これが行われている理由は、光源１、２を取り付けている人に安全性を供給するためである。過去には、この人は、ランプの、器具への設置中に、器具を介してランプの一方の端部に電圧が印加されている間に手で他方の端部に触れ、ひどく負傷するおそれがあった。ダミー端子を作成したことにより、これは、最早、あり得ない。
【００３１】
図２には、従来技術のドライバ５及び従来技術の光源１が示されている。ドライバ５の入力部は、主電源などの電圧源６の出力部に結合される。ドライバ５の各々の出力部は、光源１の第１端部にある第１端子１１の各々の第１ピン２１及び第２ピン２２に結合される。光源１は、各々のピン２１及び２２に結合される各々の第１及び第２入力部と、少なくとも１つの発光ダイオード１５に結合される出力部とを備える整流器１３を有する。第２端部においては、光源１は、第１ピン２３及び第２ピン２４を備えるダミー端子を持つ。ここで重要なことは、従来技術のドライバ５は、光源１に直流信号を供給することである。光源１内の整流器１３は、極性の問題を解決するためだけに存在し、それによって、電気的な非効率性をもたらすと共に、コストを増大させる。
【００３２】
図３には、改善されたドライバ５及び改善された光源１が示されている。ドライバ５の入力部は、主電源などの電圧源６の出力部に結合される。ドライバ５の第１出力部は、光源１の第１端部にある第１端子１１の第１ピン２１及び第２ピン２２の両方に結合される。ドライバ５の第２出力部は、光源１の第２端部にある第２端子１２の第１ピン２３及び第２ピン２４の両方に結合される。光源１は、第１ピン２１及び第２ピン２２の両方にコンデンサ１４を介して結合される第１入力部と、ピン２３及び２４の両方に結合される第２入力部とを備える整流器１３を有する。整流器１３の出力部は、少なくとも１つの発光ダイオード１５に結合される。ここで重要なことは、改善されたドライバ５は、少なくとも1kHzの周波数を持つ交流信号を光源１とやり取りすることである。光源１内の整流器１３は、この交流信号を整流するために存在する。コンデンサ１４は、光源１を取り付けている人に安全性を供給する。これは、コンデンサ１４は、例えば、コンデンサ１４に直列に結合されているときに前記人に流れる電流信号の振幅などの値を制限するという事実のためである。更に、コンデンサ１４は、少なくとも１つの発光ダイオード１５に流れる電流信号の値を決定する。コンデンサ１４には、例えば1kHz又は10kHzにおいては、その相対的に低いインピーダンスが、十分な電流が流れることを可能にし、50kHz又は60kHzにおいては、その相対的に高いインピーダンスが、人がひどく負傷させられることを防止するだろうような値が与えられ得る。
【００３３】
図４には、光源１の実施例がより詳細に示されている。第１端子１１において、第１ピン２１は、第１ヒューズ３１の一方の側に結合され、第２ピン２２は、第１ヒューズ３１の他方の側、及びコンデンサ１４の一方の側に結合される。コンデンサ１４の他方の側は、整流器１３の第１入力部に結合され、整流器１３の第２入力部は、第３ヒューズ３３の一方の側に結合される。第３ヒューズ３３の他方の側は、第２端子１２の第２ピン２４、及び第２ヒューズ３２の一方の側に結合される。第２ヒューズ３２の他方の側は、第２端子１２の第１ピン２３に結合される。整流器１３の出力部は、コンデンサ１６及び少なくとも１つの発光ダイオード１５の並列接続部に結合される。
【００３４】
整流器１３は、ダイオード、好ましくは、ダイオードブリッジの４つのダイオードを有する。ヒューズは、本当のヒューズであってもよく、又はヒューズの機能を持つ他の構成要素であってもよい。コンデンサ１６は、フィルタリング機能を持つ。第１ヒューズ３１及び第２ヒューズ３２は、或る端部にある２つのピンが電源の異なる端子に接続される場合に保護を供給する。第３ヒューズ３３は、前記端子のうちの一方の端子から前記端子のうちの他方の端子へ流れる電流信号が高すぎる値になることに対する保護を供給する。
【００３５】
図５には、図６に示されているようなドライバ５及び光源１の使用時の、改善された交換が示されている。矢印の上では、図１について記載したように、電圧源６が、蛍光灯安定器５００に結合されている。蛍光灯安定器は、第１青色ワイヤＢ１を介して第１蛍光灯１００の第１端子に結合されており、第２青色ワイヤＢ２を介して第２蛍光灯２００の第１端子に結合されており、１本の赤色ワイヤＲを介して第１蛍光灯１００及び第２蛍光灯２００の第２端子に結合されている。矢印の下では、蛍光灯安定器５００に取って代わるドライバ５が、電圧源６に結合されており、第１蛍光灯１００に取って代わる、少なくとも１つの発光ダイオードを有する第１光源１の第１端子の第１及び第２ピンに第１青色ワイヤＢ１を介して結合されており、第２蛍光灯２００に取って代わる、少なくとも１つの発光ダイオードを有する第２光源２の第１端子の第１及び第２ピンに第２青色ワイヤＢ２を介して結合されており、第１光源１及び第２光源２の第２端子の第１及び第２ピンに１本の赤色ワイヤを介して結合されている。明らかに、如何なる再配線も、過去に属する。
【００３６】
図６には、改善されたドライバ５の第１実施例が示されている。ドライバ５は、電圧源６に接続されるべき第１入力部５１及び第２入力部５２を有し、且つ少なくとも1kHzの周波数を持つ交流信号を光源１とやり取りするための第１出力部５３及び第２出力部５５を有する。
【００３７】
ドライバ５は、交流信号を生成するためのスイッチング回路６１を更に有してもよく、それによって、スイッチング回路６１の第１及び第２出力部は、リアクタンス回路６２、６６を介してドライバ５の第１出力部５３及び第２出力部５５に結合される。ここでは、リアクタンス回路６２、６６は、スイッチング回路６１の第１出力部及びドライバ５の第１出力部５３に結合されるインダクタ６２を有し、且つスイッチング回路６１の第２出力部及びドライバ５の第１出力部５３に結合されるコンデンサ６６を有する。他の例においては、コンデンサ６６は、省かれてもよい。スイッチング回路６１は、例えば、ハーフブリッジを有し、又は例えば、フルブリッジを有する。ドライバ５は、インダクタ６２に直列に結合される、又は他の例においては、スイッチング回路６１の第２出力部と、ドライバ５の第２出力部５５との間に結合されるコンデンサ６４を更に有してもよい。インダクタ６２及びコンデンサ６６は、共振タンクを形成し得る。リアクタンス回路６２、６６は、スイッチング回路の動作周波数において、スイッチング回路が、改善されたドライバ効率のためにソフトスイッチングモードで動作されるような誘導性インピーダンスを持ち得る。
【００３８】
図６に示されているようなドライバ５と、図４に示されているような光源１とが接続される場合には、コンデンサ６４及び１４の直列回路が、前記ドライバ５と、前記光源１との間でやり取りされる交流信号の振幅を規定するだろう。コンデンサ６４は、コンデンサ１４のように、システム又はシステムのパーツを取り付けている人に安全性を供給する。
【００３９】
１つ以上の他の光源を更に駆動することができるよう、ドライバ５は、第３出力部５４及び第４出力部５５を具備し得る。ここでは、第２及び第４出力部は、同じ出力部５５であるが、他の例においては、それらは、異なる出力部であり得る。更に、ここでは、第３出力部５４は、コンデンサ６５を介してインダクタ６２に結合される。光源は、独立して駆動され、これは、前記光源のうちの一方の光源が取り除かれる場合に、他方の光源は、動作し続けることを意味する。これは、改善されたドライバ５の別の非常に有利な点である。
【００４０】
ドライバ５は、入力部５１、５２に結合される入力部と、スイッチング回路６１の入力部に結合される出力部とを備える電磁干渉フィルタ７１を更に有し得る。ドライバ５は、入力部５１、５２に結合される入力部と、スイッチング回路６１の入力部に結合される出力部とを備える整流器７２を更に有し得る。ドライバ５は、入力部５１、５２に結合される入力部と、スイッチング回路６１の入力部に結合される出力部とを備える力率改善回路７３を更に有し得る。これらのユニット７１乃至７３の２つ以上の組み合わせも可能である。電磁干渉フィルタ７１は、電磁干渉がフィルタにかけられる必要がある場合に必要とされる。整流器７２は、電圧源６が直流信号を供給しない場合に必要とされる。力率改善回路７３は、力率が補正される必要がある場合に必要とされる。
【００４１】
図７には、改善されたドライバ５の第２実施例が示されている。この第２実施例は、リアクタンス回路６２、６３、６６が、変圧器６３を更に有する点で、図６に示されている第１実施例と異なる。変圧器６３の１次側は、前述のコンデンサ６６に並列に結合され、変圧器６３の２次側は、コンデンサ６４を介してドライバ５の第１出力部５３及び第２出力部５５に結合される。変圧器６３は、ガルバニック絶縁を供給する。２次側の一方の端部は、アースに結合され得る。
【００４２】
１つ以上の他の光源を更に駆動することができるよう、ドライバ５は、第３出力部５４及び第４出力部５５を具備し得る。ここでも、第２及び第４出力部は、同じ出力部５５であるが、他の例においては、それらは、異なる出力部であり得る。更に、ここでは、第３出力部５４は、変圧器６３の２次側を介してコンデンサ６５に結合される。他の例においては、変圧器６３は、幾つかの２次側、例えば、１つの光源あたり１つの２次側を有してもよい。
【００４３】
要約すると、蛍光灯１００に取って代わる光源１は、少なくとも1kHzの周波数を持つ交流信号をドライバ５とやり取りするための端子１１、１２と、コンデンサ１４を介して前記端子１１，１２に結合される入力部を持つ整流器１３と、前記整流器１３の出力部に結合される発光ダイオード１５とを具備する。前記整流器１３は、前記交流信号を整流し、前記コンデンサ１４は、前記光源１を取り付ける人に安全性を供給する。好ましくは、前記光源１は、異なる前記端子１１、１２が配置される異なる端部を持つ。各端子１１、１２は、ヒューズ３１、３２を介して相互接続される２つのピン２１、２２、２３、２４を有し得る。蛍光灯安定器５００に取って代わるドライバ５は、電圧源６に接続されるべき入力部５１、５２と、前記交流信号を前記光源１とやり取りするための出力部５３、５５とを具備する。前記ドライバ５は、前記交流信号を生成するためのスイッチング回路６１を有してもよく、前記スイッチング回路６１の出力部は、インダクタ６２、コンデンサ６６及び変圧器６３を備えるリアクタンス回路６２、６３、６６を介してドライバ５の出力部５３、５５に結合される。
【００４４】
本発明を、図面において図示し、上記の説明において詳細に説明しているが、このような図及び説明は、説明的なもの又は例示的なものとみなされるべきであって、限定するものとみなされるべきではない。本発明は、開示されている実施例に限定されない。請求項に記載の発明を実施する当業者は、図面、明細及び添付の請求項の研究から、開示されている実施例に対する他の変形を、理解し、達成し得る。請求項において、「有する」という用語は、他の要素又はステップを除外せず、単数形表記は、複数の存在を除外しない。単に、特定の手段が、相互に異なる従属請求項において引用されているという事実は、これらの手段の組み合わせが有利になるように用いられることができないことを示すものではない。請求項におけるいかなる参照符号も、範囲を限定するものとして解釈されてはならない。
【図１】
2015534223.tif 000003
【図２】
2015534223.tif 000004
【図３】
2015534223.tif 000005
【図４】
2015534223.tif 000006
【図５】
2015534223.tif 000007
【図６】
2015534223.tif 000008
【図７】
2015534223.tif 000009
【国際調査報告】
2015534223.tif 000010
2015534223.tif 000011
2015534223.tif 000012
2015534223.tif 000013